(57)【要約】【課題】  微弱電流を作用させる美容器具用の電極を筋肉に張力を与えた状態でヒップに装着できるガードル型美容機器電極装着具を提供する。【解決手段】  ガードルの前布１と後布３の縫合位置から横方向に延びる横引き布５と、ガードルの前布１と後布３の縫合位置および後布３と股下布４との縫合位置から斜め上方に延びる引き上げ布６と、通電電極（銀糸パット）８とを備え、微弱電流（ＥＭＳ）を通電することにより筋肉に刺激を与えることができることを特徴とする。【選択図】  図３
2008167770.tif 000002
【特許請求の範囲】
【請求項１】
ガードルの前布１と後布３の縫合位置から横方向に延びる横引き布５と、ガードルの前布１と後布３の縫合位置および後布３と股下布４との縫合位置から斜め上方に延びる引き上げ布６と、通電電極（銀糸パット）８とを備え、微弱電流（ＥＭＳ）を通電することにより筋肉に刺激を与えることができることを特徴とするガードル型美容機器電極装着具。
【発明の詳細な説明】
【技術分野】
【０００１】
本発明は、皮膚・筋肉に電気刺激を与え、活性化する美容機器の電極を筋肉に張力を与えながら皮膚に押圧固定するために用いるガードル型電極装着具に関する。
【背景技術】
【０００２】
従来、微弱電流を皮膚や筋肉に作用させて美容効果ないし医療効果（癒し効果）を得ることが行われている（特許文献１〜３参照）。特許文献１においては、角形波形の交流電流を用いて、生体電流の体調変化・加齢・疲労等による弱化を補うことが開示されている。特許文献２においては、頭皮を刺激して、毛髪の育毛、脱毛の防止を図ることが開示されている。特許文献３においては、腋臭症治療を図ることが開示されている。
これらの微弱電流を流す美容器具・癒し器具等の電極には、グローブ（手袋型）（特許文献１）（図６にそのグローブを使用する態様を示す参考図を示す）、帽子式面状構造（特許文献２）、吸水スポンジを挿入したパット式面状構造（特許文献３）がそれぞれ用いられており、皮膚に直接接触して通電可能であれば足りるとされている。
【０００３】
同じく微弱電流を用いて、疲れた皮膚・筋肉、ないし弛んだ筋肉の緊張（張り）を回復するスキンケア美容器具として、「ＰＵＲＥＬＹＷＡＶＥ  ピュアリーウェーブ」（登録商標）や「ＬＩＦＴＭＡＧＩＣ」（登録商標）も発売されている（非特許文献１参照）。
非特許文献１に示されるものは、通電電極として、銀線入りのグローブが用いられ、緩み弛んだ筋肉の緊張（張り）を取り戻すためには、グローブで弛んだ筋肉を持ち上げながら、１回に約１５〜２０分間微弱電流を通電する。
【０００４】
ビューティサロン、エステサロンなどで、施術者（介助者）が電極を操作する場合には良いとして、自分で、自宅で、両手で、例えば両頬に手を当てて上に持ち上げ続けていること、また、両乳房の下横側を持ち上げ続けていること、は、それなりに努力と手間、疲労が伴うものである。その上、微弱電流を流している間中、それに掛切りになり、他の仕事をしながら施療するわけにはいかない。
疲れ・むくみを取るためだけであれば、必ずしも筋肉を引っ張っておく必要が無く、非特許文献１に示されるものにおいても、例えば脹ら脛用に、釦・スナップや面ファスナー等の付け外し具付きの布状の電極も用意されているが、筋肉に張りを取り戻すような施療には用いられない。
【０００５】
本出願人は、共同出願人の一人として、筋肉に張力を与えた状態で微弱電流を作用させる電極を装着できるようにした美容器具の装着具を提案した（特許文献４参照）。特許文献４に記載された装身具は、主としてバストに対して作用させるものであって、個人で装着しただけで、施療者の補助もいらず、装着者の両手も自由となり、施療中に他の作動・動作が自由に行い得るものである。
【０００６】
【特許文献１】特開２００１−１９８２２７号公報
【特許文献２】特開２００５−１９２６４０号公報
【特許文献３】特開２００５−１９２６５２号公報
【特許文献４】特願２００６−２８４２８号
【非特許文献１】「アンドディノス」  夏号  ２００４  ｓｕｍｍｅｒ  ｖｏｌ．４  ｐ．２１５
【発明の開示】
【発明が解決しようとする課題】
【０００７】
本発明は、特許文献４において開発された装着具を、バスト以外の部位、女性からの要望の強いヒップ、への適用を広げようとするもので、微弱電流を作用させる美容器具用の電極を筋肉に張力を与えた状態でヒップに装着できるようにした装着具を提供することを課題とする。
【課題を解決するための手段】
【０００８】
本発明のガードル型美容機器電極装着具は、ガードルの前布１と後布３の縫合位置から横方向に延びる横引き布５と、ガードルの前布１と後布３の縫合位置および後布３と股下布４との縫合位置から斜め上方に延びる引き上げ布６と、通電電極（銀糸パット）８とを備え、微弱電流（ＥＭＳ）を通電することにより筋肉に刺激を与えることができることを特徴とする。
【発明の効果】
【０００９】
本発明のガードル型美容機器電極装着具によれば、自分の都合の良い時間帯に微弱電流を作用させる美容機器をバストに対して作動させることができ、微弱電流を作用させている間、両手が自由なため、他の仕事・動作を同時に行うことができるという利点がある。
【発明を実施するための最良の形態】
【００１０】
本発明のガードル型美容機器電極装着具は、ヒップアップに特化した、微弱電流による美容機器用の電極を手で押圧・作用し続けることなく筋肉に張力を与えた状態で人体に装着するものであって、従来のガードルに筋肉に張力を与えることができる布地を付加し、併せて電気刺激を与える通電電極（銀糸パットともいう）縫い込むことを基本とする。
以下、図面を参照しながら、本発明を詳細に説明する。
図１は、本発明のガードル型美容機器電極装着具の表側の展開説明図である。
図２は、本発明のガードル型美容機器電極装着具の裏側の展開説明図であって、一方の引き上げ布を前（表）側に回している。
図３は、本発明のガードル型美容機器電極装着具の表側の展開説明図で、通電電極（銀糸パット）と通電器本体（図示せず）とを連結するリード線を装着した状態を示している。
【００１１】
図において、１はガードルの前布、２は腹部押さえ布、３はガードルの後布、４はガードルの股下布であり、これらは一般に用いられているものと同一である。
５以下は、本発明で新たに導入されたもので、５は横引き布、６は引き上げ布、７は横引き布５と引き上げ布６とを緊張状態に保つ固定具、８は通電電極（銀糸パット）、９はリード線、１０は連結電極である。
横引き布５は、ガードルの前布１と後布３の縫合位置から横方向に延びている。引き上げ布６は、ガードルの前布１と後布３の縫合位置および後布３と股下布４との縫合位置から斜め上方に延びている。そして、横引き布５と引き上げ布６とのそれぞれの他端は、固定具７に縫合されている。
横引き布５、引き上げ布６には、伸縮性に富む布地を用いる。
【００１２】
左右の固定具７は、横引き布５と引き上げ布６とを引っ張りながら、前側（腹側）で相互に結合固定される。固定具７は、複数列のホック列、複数列のスナップ列・ボタン列や、マジックテープ（（株）クラレ製、登録商標）等とすることができ、横引き布５と引き上げ布６との引っ張り程度を調節できるようにする。この、横引き布５と引き上げ布６の引っ張りによって、大殿筋、中殿筋、大腿四頭筋等、加齢とともに弛んだりし易い筋肉を外力で引き上げ、緊張させ、後述する通電電極（銀糸パット）からの微弱電流の通電によって、弛んだ筋肉を元のように張りのある筋肉に戻し、また、疲労回復を図る。
【００１３】
通電電極（銀糸パット）８は、筋肉に微弱電流を作用させたい部位に、ガードルの内側（肌側）に縫い込む。通電電極（銀糸パット）８は、ヒップアップと下腹部の引き締めを図るもので、大殿筋・中殿筋・外腹斜筋等に通電刺激を与えるように、概ね、図２に破線斜線で示す位置に縫い込むことを基本とするが、その具体的な縫い込み位置は、適宜変更することができるものとする。太腿（太もも）の引き締めを意図する場合には、腸脛靱帯・大腿四頭筋の部位や、後面・大腿二頭筋・半腱様筋（ハムストリングス）に通電できる部位にも配置される。
座骨神経に直接微弱電流が流れ余分な負荷が加わらないように、座骨神経経路の外側に通電電極（銀糸パット）８を位置させることが望ましい。
【００１４】
通電電極（銀糸パット）８と通電器本体とを連結接続するリード線９を装着するための連結電極１０が備えられている。リード線９は、個別の線とすることで差し支えないが、取り扱いの簡便さ等から、四つ又リード線とすることが好ましい。リード線の他端は、通電器本体に接続するための接続プラグ１１が設けられる。
ガードルの表側はサテンネット、裏側はパワーネットを用いることが好ましく、横引き布５、引き上げ布６には、ライクラ（ポリウレタン）が好適に用いられ得る。
本発明のガードル型美容機器電極装着具は、装着者の体格に合わせて、Ｓサイズ・Ｍサイズ・Ｌサイズ等、いくつかのサイズを揃えることが望ましい。
【産業上の利用可能性】
【００１５】
本発明によれば、ヒップアップはビューティサロン、エステサロンなどで施術することが常識であったところ、美容機器による個人単独での施術が可能となるので、美容機器の需要を一層喚起することができる。
【図面の簡単な説明】
【００１６】
【図１】本発明のガードル型美容機器電極装着具の表側の展開説明図である。
【図２】本発明のガードル型美容機器電極装着具の裏側の展開説明図であって、一方の引き上げ布を前（表）側に回している。
【図３】本発明のガードル型美容機器電極装着具の表側の展開説明図で、通電電極（銀糸パット）と通電器本体（図示せず）とを連結するリード線を装着した状態を示している。
【符号の説明】
【００１７】
１：（ガードルの）前布
２：腹部押さえ布
３：（ガードルの）後布
４：（ガードルの）股下布
５：横引き布
６：引き上げ布
７：固定具
８：通電電極（銀糸パット）
９：リード線
１０：連結電極
１１：接続プラグ
【図１】
2008167770.tif 000003
【図２】
2008167770.tif 000004
【図３】
2008167770.tif 000005